(57)【要約】      （修正有）【課題】ぱちんこ玉箱及び回胴式遊技専用メダル箱の置き場所と、箱を持ち上げることなく作業ができる運搬台車を提供する。【解決手段】ぱちんこ玉箱及び回胴式遊技専用メダル箱に台車を組み込み、椅子の下に収納する。ぱちんこ玉箱及び回胴式遊技専用メダル箱を台車により集計機まで運ぶ際、ぱちんこ玉箱及び回胴式遊技専用メダル箱が台車と一体式のため、ぱちんこ玉箱及び回胴式遊技専用メダル箱の落下の危険性がない。【選択図】図１
2009006098.tif 000002
【特許請求の範囲】
【請求項１】
従来のぱちんこ玉箱及び回胴式遊技専用メダル箱の置き場所は、ぱちんこ台及び回胴式遊技専用台の下にある小物置箇所か床に置くしか方法がない。
床に置く場合、隣の椅子との距離が短くどうしても椅子の後ろ側に置くしか方法がなく通路側にはみ出た場合、歩行者の邪魔になり危険である。この状態を解決する方法として、ぱちんこ玉箱及び回胴式遊技専用メダル箱の置き場所を変える事が重要である。
解決案として最良の方法は、椅子の下にぱちんこ玉箱及び回胴式遊技専用メダル箱の置き場所を設置することである。
【請求項２】
現状でのぱちんこ玉箱及び回胴式遊技専用メダル箱を集計機まで運ぶ手段として台車を使うが、満杯になった複数のぱちんこ玉箱及び回胴式遊技専用メダル箱を運ぶ場合、落下の危険性もあり通路側に落下した場合、ぱちんこ玉及び回胴式遊技専用メダルが床に溢れ、人が踏んだ場合転倒の恐れもあり大変危険である。その解決方法として椅子の下に設置するぱちんこ玉箱及び回胴式遊技専用メダル箱に台車を組み込み一体化することにより、集計機まで運搬する際、ぱちんこ玉箱及び回胴式遊技専用メダル箱が落下する危険性は、完全に解除できる。またぱちんこ玉及び回胴式遊技専用メダルが通路に落下により溢れる危険性は皆無となる。
【請求項３】
集計機投入口にぱちんこ玉及び回胴式遊技専用メダルを投入する場合、現状では台車に乗せられたぱちんこ玉箱及び回胴式遊技専用メダル箱を一箱ずつ持ち上げ集計機投入口にぱちんこ玉及び回胴式遊技専用メダルを投入するしか方法がない。しかし一体化されたぱちんこ玉箱及び回胴式遊技専用メダル箱を組み込んだ台車であれば、ぱちんこ玉箱及び回胴式遊技専用メダル箱を集計機投入口がある高さ約９０センチメートルまで自動的に持ち上げる機構を組み込んだり、また高さ９０センチまで持ち上げなくても台車の高さ約０〜１０センチ程度の箇所にぱちんこ玉及び回胴式遊戯専用メダルを回収する投入口を組み込んだ集計機を開発することにより、労働者の労力を大幅に低減できる効果が期待できる。
【発明の詳細な説明】
【技術分野】
【０００１】  本発明は、ぱちんこ玉箱及び回胴式遊技専用メダル箱の収納方法及び台車による運搬方法、集計機にぱちんこ玉及び回胴式遊技専用メダルを投入する方法に関するものである。
【背景技術】
【０００２】  従来のぱちんこ玉箱及び回胴式遊技専用メダル箱の置き場所は、ぱちんこ台及び回胴式遊技専用台の下にある小物置箇所か床に置くしかない。床に置く場合、一箱から５箱以内であれば通路にはみ出す事なく邪魔にならないが、それを越すと通路にはみ出し、歩行の妨げの原因となり危険である。
しかし、娯楽を楽しむ人は満杯になったぱちんこ玉箱及び回胴式遊技専用箱が通路にはみ出すぐらい蓄積する事は、優越感を覚え快感を得る現状がある。
その光景を目にした人々が娯楽を何度となく楽しみ再来店する効果がある為、危険と認知しながら娯楽を楽しむ人に注意することが出来ない事業主の現状がある。また従業員は床に蓄積された複数の満杯になったぱちんこ玉箱及び回胴式遊技専用メダル箱を回収し台車に乗せ集計機まで運ぶ作業があるが、満杯になった一箱４〜７キログラムあるぱちんこ玉箱及び回胴式遊技専用メダル箱を一箱ずつ集計機にぱちんこ玉及び回胴式遊技専用メダルを投入する作業は、女性労働者にとっては大きな力を要し、腰及び肩を痛める原因となり大変な作業となる。
【発明の開示】
【発明が解決しようとする課題】
【０００３】  従来のぱちんこ玉箱及び回胴式遊技専用メダル箱は、満杯で約は４〜７キログラムになり、満杯になった複数のぱちんこ玉箱及び回胴式遊技専用メダル箱を蓄積する方法として床に置くしか方法がない。ぱちんこ玉箱及び回胴式遊技専用メダル箱が通路にはみ出した場合、歩行の邪魔になり危険である。また複数のぱちんこ玉箱及び回胴式遊技専用メダル箱を台車に乗せる作業も時間を要し、通路を利用する人の邪魔になる。
台車に乗せられた複数のぱちんこ玉箱及び回胴式遊技専用メダル箱のぱちんこ玉及び回胴式遊技専用メダルを集計機に投入する際、現状では一箱ずつ持ち上げ投入する作業があるが、労働者にとって大きな負担となる。
本発明は、以上の問題点を解決しぱちんこ玉箱及び回胴式遊技専用メダル箱の管理、ぱちんこ玉箱及び回胴式遊技専用メダル箱を運ぶ台車、集計機にぱちんこ玉及び回胴式遊技専用メダルを投入する方法を簡略化したものである。
【課題を解決するための手段】
【０００４】  本発明は、ぱちんこ玉箱及び回胴式遊技専用メダル箱を台車に組み込み椅子の下に収納する事により、ぱちんこ玉箱及び回胴式遊技専用メダル箱を床に置く必要がなくなる。また台車に乗せる作業も省ける。
集計機投入口にぱちんこ玉及び回胴式遊技専用メダルを投入する場合、従来のように満杯（４〜７キログラム）になった箱を一箱ずつ持ち上げるのではなく、台車に組み込まれたぱちんこ玉箱及び回胴式遊技専用メダル箱が、高さ約９０センチの高さにある集計機投入口へ自動的に持ち上げられる工夫を台車に施す。また集計機自体の投入口を約高さ９０センチの箇所から高さ０〜１０センチ程度の所に投入口を設置すれば、ぱちんこ玉箱及び回胴式遊戯専用メダル箱を組み込んだ台車を持ち上げる必要がなくなり、より効率的になる。
【発明の効果】
【０００５】  本発明は、ぱちんこ玉箱及び回胴式遊技専用メダル箱と台車を組み込んだ仕様を椅子の下へ収納する事により床に置く必要がなくなり、通路を利用する人の邪魔にならない。またぱちんこ玉箱及び回胴式遊技専用メダル箱を台車に乗せる作業が省ける。
次に台車に乗せたぱちんこ玉箱及び回胴式遊技専用メダル箱を集計機まで運び、ぱちんこ玉及び回胴式遊技専用メダルを集計機に投入する作業に於いて、現状では満杯の重さが４〜７キログラムあるぱちんこ玉箱及び回胴式遊技専用メダル箱を一箱ずつ持ち上げ、ぱちんこ玉及び回胴式遊技専用メダルを集計機投入口に投入するが、本発明は台車に組み込んであるぱちんこ玉箱及び回胴式遊技専用メダル箱を、自動的に持ち上げる機構を組み込む事により、人による持ち上げ作業を省く事が可能になり大幅な作業低減の効果がある。男性より力は弱く身長の低い女性でも、大幅な作業低減並びに腰痛などの理由により離職する女性労働者を低減できる効果が期待できる。
【発明を実施するための最良の形態】
【０００６】  以下、本発明の実施の形態を説明する。
（イ）ぱちんこ玉箱及び回胴式遊技専用メダル箱を椅子の下に収納できる工夫を施す。
（ロ）ぱちんこ玉箱及び回胴式遊技専用メダル箱を台車を組み込み、一体化する。
（ハ）ぱちんこ玉及び回胴式遊技専用メダルを集計機に投入する際に、高さ約９０センチメートルある集計機投入口へぱちんこ玉箱及び回胴式遊技専用メダル箱を台車から自動的に持ち上げる工夫を施す。
【図面の簡単な説明】
【０００７】
【図１】本発明の斜視図
【図２】本発明の正面図
【図３】本発明の側面図
【図４】本発明の上面図
【符号の説明】
【０００８】  （１）ぱちんこ玉及び回胴式遊技専用メダル投入口、（２）ぱちんこ玉及び回胴式遊戯専用メダル排出口、（３）持ち上げ機構付及び取り外し式取っ手、（４）椅子、（５）支柱、（６）椅子下収納、（７）支柱はめ込み部、（８）キャスター
【図１】
2009006098.tif 000003
【図２】
2009006098.tif 000004
【図３】
2009006098.tif 000005
【図４】
2009006098.tif 000006